(57)【特許請求の範囲】
【請求項１】
中心部に雌ねじ部を形成し、ラチェットレンチに設けたソケットに挿入されて回転可能なナット本体と、
前記ナット本体の外周に一端部を分離可能に止着し、当該ナット本体の外周に螺旋状に巻回した線状体と、
この線状体の上から前記ナット本体の外周を一周程度に巻回した帯状のテープと、を備え、
前記テープは、
前記線状体の他端部を前記ナット本体の外周に止着する巻始め部と、
一方の面の巻終り側に部分的に形成され、少なくとも前記線状体の他端部を含んで前記線状体を前記ナット本体の外周に止着する接着層と、
この接着層から巻終り側に延在し、前記ナット本体の外周から剥離が容易な余剰部と、を有し、
前記テープは、前記ソケットに開口した保持穴の内壁に密着するように、前記ナット本体の対辺距離を増加させる膜厚を設けているナット。
【請求項２】
中心部に雌ねじ部を形成し、両面にソケットを有する２サイズのラチェットレンチに設けた一方の前記ソケットに挿入されて回転可能なナット本体と、
前記ナット本体の外周に一端部を分離可能に止着し、当該ナット本体の外周に螺旋状に巻回した線状体と、
前記線状体の他端部が繋留された弾性キャップと、を備え、
前記弾性キャップは、
先端部に形成されて、前記雌ねじ部に圧入して嵌合する円柱状の嵌合部と、
基端部に形成されて、一方の前記ソケットから他方の前記ソケットに向けて貫通する穴に弾性をもって保持される紡錘状の頭部と、を有するナット。
【請求項３】
前記ナット本体は、前記線状体を螺旋状に巻回可能な溝部を有し、
この溝部は、当該ナット本体の外周に沿って底面を平坦に形成している請求項１又は２記載のナット。
【請求項４】
前記線状体は、当該ナット本体を仮締め可能な引っ張り強度を有する請求項１から３のいずれかに記載のナット。
【請求項５】
前記ラチェットレンチは、ホットスティックの先端部に取り付けられている請求項１から４のいずれかに記載のナット。
【発明の詳細な説明】
【技術分野】
【０００１】
本発明は、ナットに関する。特に、ボルトなどと組み合わせて部材の締め付けに用いるナットであって、本締め作業に先立つ仮締め作業を高所で容易に実施可能なナットの構造に関する。
【背景技術】
【０００２】
送電線を無停電で配電工事を実施する活線作業には、直接活線工法と間接活線工法の二通りがあることが知られている。直接活線工法は、作業者が高圧ゴム手袋などの保護具を着用し、通電中の送電線に直接触れて配電工事を実施する。一方、間接活線工法は、ホットスティック（絶縁操作棒）などの間接活線工具を用いて、作業者が通電中の送電線に直接触れることなく配電工事を実施できる。近年では、作業環境の改善の観点から、直接活線工法から間接活線工法へと転換が進行している。
【０００３】
ホットスティックは、配電工事を実施する工具を先端部に備えており、この工具を手許の操作部で遠隔操作できる。配電工事を実施する作業者は、ホットスティックを用いて、高所での「支持する」又は「把持する」といった作業を実施できる。又、ホットスティックは、先端部に工具を着脱自在に保持でき、工具を交換することで多様な作業に対応している。
【０００４】
図８は、電柱に装柱された支持金具の一例を示す斜視図である。図８を参照すると、電柱（図示せず）は、腕金７を装架している。腕金７は、一般に、碍子を介して、高圧電線を支持している。又、腕金７は、柱上変圧器などを支持することもある。
【０００５】
図８を参照すると、腕金７には、支持金具８を取り付けている。例えば、支持金具８の端部には、鳥の飛来や営巣を防止するための鳥害防止装置（図示せず）を支持している。図示された支持金具８は、Ｃ形チャンネル状のアングル部材８ａとＬ字状に屈曲したボルト部材８ｂとで構成している。
【０００６】
図８を参照すると、ボルト部材８ｂの一端部は、アングル部材８ａに開口した長穴８１ａに係合している。ボルト部材８ｂの他端部は、雄ねじ部８１ｂを設けている。ボルト部材８ｂの他端部は、当て板８ｃに設けた穴を貫通している。そして、雄ねじ部８１ｂにナット８ｎを螺合することにより、支持金具８を腕金７にクランプできる。支持金具８は、多種類の幅Ｗを有する腕金７に対応できるように、ボルト部材８ｂの他端部が比較的長く突出している。
【０００７】
図８を参照して、ナット８ｎをボルト部材８ｂに締結する作業にあっても、支持金具８の近くに活線状態の電線が架線されている場合は、安全対策上、ホットスティックを使用している。このため、間接ラチェットレンチ（以下、ラチェットと略称する）９０を先端部に取り付けたホットスティック９を用いて、ナット８ｎをボルト部材８ｂに締結している。
【０００８】
図９は、上述したホットスティック９の正面図である。図９を参照すると、ホットスティック９は、着脱部９１、操作部９２、及び柄部９３で構成されている。着脱部９１には、菊座アタッチメント（図示せず）を介して、ラチェット９０を着脱自在に取り付けている。着脱部９１には、ツイストロックアダプタ（図示せず）を介して、他の工具を取り付けることもできる。
【０００９】
図９を参照すると、操作部９２は、長尺の管体からなり、操作部９２を把持して、ラチェット９０を操作できる。柄部９３は、長尺の管体からなり、着脱部９１と操作部９２を連結している。柄部９３は、絶縁性を有する合成樹脂からなり、着脱部９１と操作部９２とを電気的に絶縁している。
【００１０】
図８を参照すると、ラチェット９０は、大きい口径を有するソケット９ａと小さい口径を有するソケット９ｂとが一体になって、本体９ｈに組み込まれている。ラチェット９０は、いわゆる、２サイズのラチェットレンチとなっている。又、これらのソケット９ａ・９ｂは、ボルト部材８ｂが挿通できるように開口し、内部が同軸上に貫通している。
【００１１】
図８を参照すると、ラチェット９０は、ラチェット車と戻り止用の爪で構成されたラチェット機構を内部に備えている。そして、このラチェット機構がナット８ｎを一方向にのみ回転できる。又、ラチェット９０を反対方向に回転すると、ラチェット機構が空回りするため、ナット８ｎを素早く締結できる。又、ラチェット９０には、ソケット９ａ・９ｂが空回りする方向を切り換えるためのレバー９ｃを設けている。
【００１２】
図８を参照すると、ラチェット９０は、二つの関節部ｋ１・ｋ２を備えている。関節部ｋ１は、水平面上でソケット９ａ・９ｂの向きを変えることができる。関節部ｋ２は、垂直面上で、ソケット９ａ・９ｂを旋回するように、その位置を変えることができる。ラチェット９０の末端には、馬蹄状の菊座９ｄを設けている。そして、菊座９ｄを着脱部９１に固定できる（図９参照）。
【００１３】
図８又は図９を参照すると、ボルト部材８ｂの他端部は、長く突出しているので、ナット８ｎの仮締めから本締めに至るまでには、ホットスティック９を相当回数、操作する必要がある。特に、長尺のホットスティック９を用いて、高所に位置するナット８ｎを回動させるには、作業員にとって肉体的負担が大きかった。
【００１４】
このような不具合に対して、間接活線工法などの電設工事におけるナットの締め込み作業において、その効率を大幅に向上させる締め込み工具が開示されている（例えば、特許文献１参照）。
【００１５】
特許文献１による締め込み工具は、弾性を有する円筒状の装着体、及びこの装着体の外周に螺旋状に巻回された線状体で構成されている。装着体は、ナットが軸方向から挿入されて、ナットが回転しないように保持する保持穴を中心部に開口している。線状体の一端部は、装着体の外周に固定されている。そして、ナットと共に装着体をボルトに装着して、線状体の他端部を引っ張ると、ナットを素早く仮締めできる、としている。
【００１６】
又、仮締めなどの回転操作を容易にかつ手早くできるねじ体が開示されている（例えば、特許文献２参照）。特許文献２によるねじ体は、ナット本体と、ナット本体の外周に貼着するように重ねて巻回された帯状の接着テープを備えて構成している。
【００１７】
特許文献２によるねじ体は、接着テープの始端部をナット本体の外周から分離容易に止着していると共に、接着テープの終端部をねじ体から引き離すように操作すると、ねじ体を回転できる、としている。
【先行技術文献】
【特許文献】
【００１８】
【特許文献１】特開２００７−１０４７９１号公報
【特許文献２】特開２００５−２４０７０号公報
【発明の概要】
【発明が解決しようとする課題】
【００１９】
図８を参照して、ナット８ｎをソケット９ａ（又は、ソケット９ｂ）に予め、装着しておき、ホットスティック９を操作して、ナット８ｎをボルト部材８ｂに装着している。この場合、ナット８ｎは、高所に位置しているので、ナット８ｎがソケット９ａ（又は、ソケット９ｂ）から脱落するおそれがある。
【００２０】
特許文献１による締め込み工具は、ナット８ｎをボルト部材８ｂに装着した後は、ナット８ｎを素早く仮締めできる。しかし、特許文献１による締め込み工具は、ナット８ｎをボルト部材８ｂに装着するためには、例えば、把持工具を備えたホットスティックを用いて、ナット８ｎを装着した装着体を把持する必要がある。このため、ナット８ｎが脱落するおそれがある。
【００２１】
同様に、特許文献２によるねじ体は、ナット本体をボルト部材８ｂに装着した後は、ナット本体を素早く仮締めできる。しかし、特許文献２によるねじ体は、その外周に接着テープを重ねて巻回しているので、ナット８ｎをソケット９ａ（又は、ソケット９ｂ）に予め、装着しておくことは困難である。
【００２２】
ホットスティックの先端部に設けたラチェットからナットが脱落することなく、かつ、ナットが素早くボルトに仮締めできれば、間接活線工法で作業時間が短縮でき、作業者の疲労も軽減できる。そして、以上のことが本発明の課題といってよい。
【００２３】
本発明は、このような課題に鑑みてなされたものであり、ラチェットのソケットからナットが脱落することを防止でき、かつ、素早くボルトに仮締めできるナットを提供することを目的とする。
【課題を解決するための手段】
【００２４】
本発明者らは、ナット本体の外周に帯状のテープを一周程度に巻回して、このナット本体をラチェットのソケットに圧入してナットの脱落を防止すると共に、ナット本体をボルトの先端部に螺合した後は、ナット本体の外周に巻回された線状体の他端部を引っ張ることにより、ナット本体が回転して素早く仮締めできることにより、これらの課題が解決可能なことを見出し、これに基づいて、以下のような新たなナットを発明するに至った。
【００２５】
（１）本発明によるナットは、中心部に雌ねじ部を形成し、ラチェットレンチに設けたソケットに挿入されて回転可能なナット本体と、前記ナット本体の外周に一端部を分離可能に止着し、当該ナット本体の外周に螺旋状に巻回した線状体と、この線状体の上から前記ナット本体の外周を一周程度に巻回した帯状のテープと、を備え、前記テープは、一方の面に部分的に形成され、少なくとも前記線状体の他端部を含んで前記線状体を前記ナット本体の外周に止着する接着層と、この接着層から延在し、前記ナット本体の外周から剥離が容易な余剰部と、前記ソケットに開口した保持穴の内壁に密着するように、前記ナット本体の対辺距離を増加させる膜厚と、を有する。
【００２６】
（２）本発明によるナットは、中心部に雌ねじ部を形成し、両面にソケットを有する２サイズのラチェットレンチに設けた一方の前記ソケットに挿入されて回転可能なナット本体と、前記ナット本体の外周に一端部を分離可能に止着し、当該ナット本体の外周に螺旋状に巻回した線状体と、前記線状体の他端部が繋留された弾性キャップと、を備え、前記弾性キャップは、先端部に形成されて、前記雌ねじ部に圧入して嵌合する円柱状の嵌合部と、基端部に形成されて、一方の前記ソケットから他方の前記ソケットに向けて貫通する穴に弾性をもって保持される紡錘状の頭部と、を有する。
【００２７】
（３）前記ナット本体は、前記線状体を螺旋状に巻回可能な溝部を有し、この溝部は、当該ナット本体の外周に沿って底面を平坦に形成していることが好ましい。
【００２８】
（４）前記線状体は、当該ナット本体を仮締め可能な引っ張り強度を有することが好ましい。
【００２９】
（５）前記ラチェットレンチは、ホットスティックの先端部に取り付けられていてもよい。
【発明の効果】
【００３０】
本発明によるナットは、ナット本体の外周に帯状のテープを一周程度に巻回して、このナット本体をラチェットのソケットに圧入してナットの脱落を防止すると共に、ナット本体をボルトの先端部に螺合した後は、ナット本体の外周に巻回された線状体の他端部を引っ張ることにより、ナット本体が回転して素早く仮締めできる。
【図面の簡単な説明】
【００３１】
【図１】本発明の第１実施形態によるナットの構成を示す斜視図であり、ナットに締結されるボルト部材、及びナットを回転するラチェットレンチを配置した状態図である。
【図２】第１実施形態によるナットの構成を示す斜視図であり、図２（Ａ）は、線状体をナット本体の外周に巻回する前の状態図、図２（Ｂ）は、線状体をナット本体の外周に巻回した状態図、図２（Ｃ）は、テープをナット本体の外周に巻回した状態図である。
【図３】第１実施形態によるナットを仮締めしている状態図であり、電柱に装柱された支持金具の一例を示す斜視図である。
【図４】先端部に把持工具を取り付けたホットスティックの正面図である。
【図５】本発明の第２実施形態によるナットの構成を示す斜視図であり、ナットに締結されるボルト部材、及びナットを回転するラチェットレンチを配置した状態図である。
【図６】図５の横断面図である。
【図７】第２実施形態によるナットを仮締めしている状態図であり、電柱に装柱された支持金具の一例を示す斜視図である。
【図８】従来技術によるナットを仮締めしている状態図であり、電柱に装柱された支持金具の一例を示す斜視図である。
【図９】先端部にラチェットレンチを取り付けたホットスティックの正面図である。
【発明を実施するための形態】
【００３２】
以下、図面を参照して本発明を実施するための形態を説明する。
［第１実施形態］
［ナットの構成］
最初に、本発明の第１実施形態によるナットの構成を説明する。なお、従来技術で使用した符号と同じ符号を有する構成品は、その作用を同一とするので、以下の説明では割愛する場合がある。
【００３３】
図１は、本発明の第１実施形態によるナットの構成を示す斜視図であり、ナットに締結されるボルト部材、及びナットを回転するラチェットレンチを配置した状態図である。
【００３４】
図２は、第１実施形態によるナットの構成を示す斜視図であり、図２（Ａ）は、線状体をナット本体の外周に巻回する前の状態図、図２（Ｂ）は、線状体をナット本体の外周に巻回した状態図、図２（Ｃ）は。テープをナット本体の外周に巻回した状態図である。図３は、第１実施形態によるナットを仮締めしている状態図であり、電柱に装柱された支持金具の一例を示す斜視図である。
【００３５】
図１から図３を参照すると、本発明の第１実施形態によるナット１０は、ナット本体１、線状体２、及び帯状のテープ３を備えている。ナット本体１は、中心部に雌ねじ部１ａを形成している。又、ナット本体１は、外周に沿って、底面が平坦な溝部１ｂを形成している。そして、溝部１ｂには、線状体２を螺旋状に巻回している。
【００３６】
図１から図３を参照すると、線状体２は、接着テープ片（図示せず）などを用いて、その一端部を溝部１ｂの底面に分離可能に止着している。雌ねじ部１ａがボルト部材８ｂの雄ねじ部８１ｂに螺合した状態で、線状体２の他端部を引っ張ると、ナット本体１を回転できる。
【００３７】
図１から図３を参照すると、テープ３は、巻回された線状体２の上から、ナット本体１の外周を一周程度に巻回している。テープ３は、線状体２の他端部をナット本体１の外周に止着する巻始め部３ｓを有している。巻始め部３ｓは、ナット本体１の外周に形成された六面の内の一面に相当する領域を有している。
【００３８】
又、図１から図３を参照すると、テープ３は、その一方の面の巻終り側に部分的に形成された接着層３ａを有している。接着層３ａは、ナット本体１の外周に形成された六面の内の一面に相当する領域を有している。接着層３ａは、少なくとも線状体２の他端部を含んで、巻回された線状体２をナット本体１の外周に止着している。
【００３９】
更に、図１から図３を参照すると、テープ３は、接着層３ａから巻終り側に延在した余剰部３ｂを有している。余剰部３ｂは、ナット本体１の外周から剥離が容易となっている。更に、テープ３は、ソケット９ａの一端面側に開口した多角形の保持穴９１ａに挿入されて、脱落が困難な程度の膜厚を設けている。
【００４０】
図１から図３を参照すると、線状体２は、ナット本体１を仮締め可能な引っ張り強度を有することが好ましく、繊維体、合成樹脂線、金属ワイヤ、糸、細紐などを用いることができる。間接活線工法などの電設工事には、絶縁性を有する高張力繊維を撚り合わせた合成樹脂線を用いることが好ましく、カーボン繊維を撚り合わせて、絶縁被膜したワイヤを用いてもよい。
【００４１】
図１から図３を参照すると、テープ３は、例えば、ビニルを基材として用いてもよく、絶縁性を有するポロプロピレンやポリエステルを基材として用いてもよい。接着層３ａは、巻回された線状体２がナット本体１の外周から剥離しない程度の弱い粘着力を有することが好ましい。又、余剰部３ｂを引っ張ってナット本体１の外周から剥離したときに、接着層３ａには、線状体２の他端部が貼着していることが好ましく、例えば、線状体２の他端部を複数回、ループして接着層３ａに貼着しておくことが好ましい。
【００４２】
［ナットの作用］
次に、第１実施形態によるナット１０の操作手順を説明しながら、ナット１０の作用及び効果を説明する。図４は、先端部に把持工具を取り付けたホットスティックの正面図である。
【００４３】
図３を参照して、ナット１０をボルト部材８ｂの他端部に締結するに当たり、ナット１０をソケット９ａの保持穴９１ａに予め、挿入しておく（図１参照）。
【００４４】
一般に、ラチェットレンチに設けたソケットの口幅は、対応するナット又はボルトの対辺距離より大きく、ナット又はボルトは、余裕をもってソケットに設けた開口に挿入されて保持される。つまり、一般的には、ナット又はボルトは、ラチェットレンチのソケットから脱落し易いものであった。
【００４５】
一方、図１又は図２を参照すると、第１実施形態によるナット１０は、ナット本体１の外周を一周程度に巻回したテープ３を備え、テープ３は、ソケット９ａに開口した保持穴９１ａの内壁に密着するように、ナット本体１の対辺距離を増加させる膜厚を有しているので、ナット１０がソケット９ａから脱落することを防止できる。つまり、第１実施形態によるナット１０は、ソケット９ａの保持穴９１ａに密着するように保持されているので、脱落を防止できる。
【００４６】
次に、図１及び図９を参照して、ナット１０をソケット９ａに保持した状態で、ホットスティック９を操作して、ボルト部材８ｂの先端部にナット１０を螺合させる（図３参照）。次に、ホットスティック９を操作して、ナット１０からソケット９ａを離脱させると、余剰部３ｂがナット本体１の外周から離れる（図１又は図２参照）。次に、余剰部３ｂを後述する把持工具で把持する。
【００４７】
ここで、図４を参照して、先端部に把持工具を取り付けたホットスティックの構成を説明する。なお、図４の説明において、図９で使用した符号と同じ符号を有する構成品は、その作用を同一とするので説明を割愛する場合がある。
【００４８】
図４を参照すると、ホットスティック９着脱部９１には、ツイストロックアダプタ（図示せず）を介して、把持工具６０を取り付けている。把持工具６０は、開閉する一対の把持片６ａ・６ｂを備えている。一方の把持片６ａは、基端部が固定された固定片であり、他方の把持片６ｂは、その基端部が一方の把持片６ａに回動可能に連結する可動片となっている。
【００４９】
図４を参照すると、ホットスティック９は、柄部９３と略平行に作動棒６ｃを保持している。そして、作動棒６ｃの先端部は、他方の把持片６ｂに回動可能に連結し、作動棒６ｃの基端部は、操作レバー６ｄに連結している。
【００５０】
図４を参照すると、操作レバー６ｄを操作部９２に近づけると、一対の把持片６ａ・６ｂの先端部を閉じることができる。操作レバー６ｄを操作部９２から離間すると、一対の把持片６ａ・６ｂの先端部を開くことができる。このように、把持工具６０は、操作レバー６ｄを操作して、高所に位置する被挟持物を把持できる。
【００５１】
続いて、第１実施形態によるナット１０の操作手順に戻り説明する。図１から図４を参照して、テープ３の余剰部３ｂを一対の把持片６ａ・６ｂで把持して、接着層３ａをナット本体１の外周から剥離する。
【００５２】
次に、図３及び図４を参照して、線状体２の他端部をテープ３と共に一対の把持片６ａ・６ｂで把持して、引っ張ると、ナット本体１が回転して、ナット本体１をボルト部材８ｂの他端部に仮締めできる。なお、テープ３が手許に移動した場合は、線状体２の他端部を手で引っ張ることもできる。
【００５３】
次に、図３を参照して、ナット本体１が当て板８ｃに当接した後は、ナット本体１から線状体２を外し、ラチェット９０を先端部に取り付けたホットスティック９を用いて（図９参照）、ナット本体１を本締めできる。そして、一連の締結作業を終了する。
【００５４】
このように、第１実施形態によるナット１０は、ナット本体１の外周に帯状のテープ３を一周程度に巻回して、ナット本体１をラチェット９０のソケット９ａに圧入してナット１０の脱落を防止すると共に、ナット本体１をボルト部材８ｂの先端部に螺合した後は、ナット本体１の外周に巻回された線状体２の他端部を引っ張ることにより、ナット本体１が回転して素早く仮締めできる。
【００５５】
なお、第１実施形態によるナット１０は、テープ３の一方の面に接着層３ａを設けて、巻回された線状体２をナット本体１の外周に止着する構成としたが、テープ３の他方の面に接着層を設けて、テープ３がラチェット９０のソケット９ａに貼着される構成としてもよい。この場合、テープ３がソケット９ａに貼着されるので、把持工具６０を設けたホットスティック９を使用する必要が無くなり（図４参照）、仮締め作業が促進される。
【００５６】
［第２実施形態］
［ナットの構成］
次に、本発明の第２実施形態によるナットの構成を説明する。なお、従来技術及び第１実施形態で使用した符号と同じ符号を有する構成品は、その作用を同一とするので、以下の説明では割愛する場合がある。
【００５７】
図５は、本発明の第２実施形態によるナットの構成を示す斜視図であり、ナットに締結されるボルト部材、及びナットを回転するラチェットレンチを配置した状態図である。図６は、図５の横断面図である。図７は、第２実施形態によるナットを仮締めしている状態図であり、電柱に装柱された支持金具の一例を示す斜視図である。
【００５８】
図５から図７を参照すると、本発明の第２実施形態によるナット２０は、ナット本体１、線状体２、及び弾性キャップ４を備えている。ナット本体１は、中心部に雌ねじ部１ａを形成している。又、ナット本体１は、外周に沿って、底面が平坦な溝部１ｂを形成している。そして、溝部１ｂには、線状体２を螺旋状に巻回している。
【００５９】
図５から図７を参照すると、線状体２は、接着テープ片（図示せず）などを用いて、その一端部を溝部１ｂの底面に分離可能に止着している。雌ねじ部１ａがボルト部材８ｂの雄ねじ部８１ｂに螺合した状態で、線状体２の他端部を引っ張ると、ナット本体１を回転できる。
【００６０】
図５から図７を参照すると、弾性キャップ４は、線状体２の他端部が首部４ｎに繋留されている。弾性キャップ４は、円柱状の嵌合部４ａと紡錘状の頭部４ｂを有している。嵌合部４ａは、弾性キャップ４の先端部に形成され、雌ねじ部１ａに圧入して嵌合できる。頭部４ｂは、弾性キャップ４の基端部に形成されている。頭部４ｂは、一方のソケット９ａから他方のソケット９ｂに向けて貫通する穴９１ｃに弾性をもって保持される。
【００６１】
弾性キャップ４は、ゴム体を成形してもよく、このゴム体は、天然ゴム、又は化学合成ゴムのいずれか一方を含むことができる。又、弾性キャップ４は、軟質の弾性を有する合成樹脂で成形してもよい。
【００６２】
図５又は図６を参照すると、実施形態による弾性キャップ４の嵌合部４ａには、雌ねじ部１ａに螺合する雄ねじ部を形成している。しかし、嵌合部４ａは、雌ねじ部１ａの谷径程度の直径を有する円柱状に形成してもよい。又、嵌合部４ａの首下長さは、雌ねじ部１ａの長さの半分程度が好ましく、後述するように、ナット２０をボルト部材８ｂに螺合させると、反作用で弾性キャップ４が押し出されることが好ましい。
【００６３】
［ナットの作用］
次に、第２実施形態によるナット２０の操作手順を説明しながら、ナット２０の作用及び効果を説明する。
【００６４】
図７を参照して、ナット２０をボルト部材８ｂの他端部に締結するに当たり、弾性キャップ４の嵌合部４ａをナット本体１の雌ねじ部１ａに予め、嵌合しておく（図６参照）。次に、ソケット９ａの保持穴９１ａを介して、弾性キャップ４の頭部４ｂを穴９１ｃに挿入する（図６参照）。
【００６５】
図５又は図６を参照すると、弾性キャップ４の頭部４ｂを穴９１ｃに挿入した状態では、弾性キャップ４は、穴９１ｃに弾性をもって保持されている。これにより、ナット２０がソケット９ａから脱落することを防止できる。つまり、第２実施形態によるナット２０は、脱落を防止できる。
【００６６】
次に、図５及び図９を参照して、ナット２０をソケット９ａに保持した状態で、ホットスティック９を操作して、ボルト部材８ｂの先端部にナット２０を螺合させる（図７参照）。図５又は図６を参照すると、ナット２０をボルト部材８ｂに螺合させると、弾性キャップ４がボルト部材８ｂで押し出されることを理解できる。
【００６７】
図７を参照して、ホットスティック９を複数回、回動すると、やがて、弾性キャップ４がナット本体１から離間する。一方、弾性キャップ４は、ソケット９ａに保持された状態を維持しているが、ナット本体１と弾性キャップ４は、線状体２で結ばれている。次に、ラチェット９０をナット本体１から素早く引き離すと、弾性キャップ４がソケット９ａから離間して、図７に示された状態になる。
【００６８】
図７を参照すると、ナット本体１の外周に巻回された線状体２の他端部には、弾性キャップ４が吊り下げられている。そして、弾性キャップ４を一対の把持片６ａ・６ｂで把持して（図４参照）、引っ張ると、ナット本体１が回転して、ナット本体１をボルト部材８ｂの他端部に仮締めできる。なお、弾性キャップ４が手許に移動した場合は、線状体２の他端部を手で引っ張ることもできる。
【００６９】
次に、図７を参照して、ナット本体１が当て板８ｃに当接した後は、ナット本体１から線状体２を外し、ラチェット９０を先端部に取り付けたホットスティック９を用いて（図９参照）、ナット本体１を本締めできる。そして、一連の締結作業を終了する。
【００７０】
このように、第２実施形態によるナット２０は、ナット本体１の雌ねじ部１ａに嵌合する弾性キャップ４の頭部４ｂをラチェット９０に弾性的に保持して、ナット２０の脱落を防止すると共に、ナット本体１をボルト部材８ｂの先端部に螺合した後は、ナット本体１の外周に巻回された線状体２の他端部に繋留された弾性キャップ４を引っ張ることにより、ナット本体１が回転して素早く仮締めできる。
【００７１】
実施形態によるナットは、ナット本体の外周に巻回された線状体の他端部を引っ張ることにより、ナット本体を素早く仮締めできるので、ホットスティックを用いた締結作業に起因する作業員の疲労を軽減できる。
【００７２】
又、実施形態によるナットは、ホットスティックを用いた高所作業において、ナットの締結作業が迅速になる。更に、実施形態によるナットは、ホットスティックの先端部に設けたラチェットからナットが脱落するが防止されるので、安全である。
【００７３】
本発明は、間接活線工法による高所作業に好適なナットを開示したが、本発明によるネットは、用途を限定されない。一般的なラチェットレンチを用いたナットの締結作業においても、ナットを素早く仮締めできる。
【符号の説明】
【００７４】
１  ナット本体
１ａ  雌ねじ部
２  線状体
３  テープ
３ａ  接着層
３ｂ  余剰部
９ａ・９ｂ  ソケット
１０  ナット
９０  ラチェット（ラチェットレンチ）
９１ａ・９１ｂ  保持穴
【図１】
0005566847.tif 000002
【図２】
0005566847.tif 000003
【図３】
0005566847.tif 000004
【図４】
0005566847.tif 000005
【図５】
0005566847.tif 000006
【図６】
0005566847.tif 000007
【図７】
0005566847.tif 000008
【図８】
0005566847.tif 000009
【図９】
0005566847.tif 000010